(57)【要約】【課題】カードと袋体の各印字部に対して一度の印字動作で同時に印字できて、各印字部に対する印字内容に齟齬が生じない葉書シート付き袋体を提供する。【課題の解決手段】葉書シート付き袋体１は、表紙２と裏紙３とを三周縁で綴じ合わせ、一縁を開口５してなる袋体１ａの表出面に情報印字部１５，１６を設け、袋体の一端にミシン目７を境にして葉書シート６を一体的に設け、この葉書シート６には表出面に情報印字部を有する葉書片１０を分離可能に設けるとともに、葉書片１０の情報印字部は袋体１ａの情報印字部１５，１６と同一面側に位置する。【選択図】　　図１
2004059110.tif 000002
【特許請求の範囲】
【請求項１】
表紙と裏紙とを三周縁で綴じ合わせ、一縁を開口してなる袋体の表出面に情報印字部を設け、前記袋体の一端に葉書シートを設け、前記葉書シートには表出面に伝達情報印字部を有する葉書片を分離可能に設けるとともに、前記葉書片の伝達情報印字部と前記袋体の情報印字部とが同一面側に位置することを特徴とする葉書シート付き袋体。
【請求項２】
袋体表出面の情報印字部は、医薬品情報印字部を有することを特徴とする請求項１記載の葉書シート付き袋体。
【請求項３】
表紙または裏紙の一方は透視可能な合成樹脂フィルム製であり、表紙または裏紙の他方は紙製であり、葉書シートは、前記紙製の表紙または裏紙を延設して一体的に設けたシート基材に、葉書片をスリットおよび／またはミシン目で区画形成してなることを特徴とする請求項１又は請求項２に記載の葉書シート付き袋体。
【請求項４】
葉書片は、伝達情報を印字した伝達情報印字部を被覆隠蔽片で被覆隠蔽して投函可能であるとともに、葉書片の受領者は前記被覆隠蔽片を剥離して前記伝達情報印字部の被覆隠蔽状態を解除することにより伝達情報を視認可能に構成したことを特徴とする請求項１〜請求項３のいずれか１項に記載の葉書シート付き袋体。
【請求項５】
葉書片は、折り部で連接してなる伝達情報印字部を設けた伝達情報印字片とこの伝達情報印字片に折り重なってその伝達情報印字部を被覆隠蔽する被覆隠蔽片とからなり、この被覆隠蔽片は、剥離可能に疑似接着した２枚の透視可能な樹脂フィルムの一方を前記シート基材に剥離困難に接着し、前記樹脂フィルムの他方の疑似接着面とは反対面側には粘着剤を設けるとともに剥離紙で被覆してなることを特徴とする請求項４に記載の葉書シート付き袋体。
【請求項６】
表紙または裏紙の一方は、基材の一面に粘着剤を塗布するとともに、この粘着剤を剥離紙で被覆したうえ、前記剥離紙によって表紙または裏紙の他方と三周縁で綴じ合わせてなり、袋体の開口端に対応する前記剥離紙を所定幅にわたって剥離することによって、前記基材に前記開口を封鎖する封緘片を形成することを特徴とする請求項１〜請求項４のいずれか１項に記載の葉書シート付き袋体。
【請求項７】
葉書シートは、シート基材に葉書片をスリットおよび／またはミシン目で区画形成してなるとともに、その一端を表紙または裏紙の一端に接着したことを特徴とする請求項１〜請求項４のいずれか１項に記載の葉書シート付き袋体。
【発明の詳細な説明】
【０００１】
【発明の属する技術分野】
本発明は、薬品や部品などの各種物品を収容する袋体に関し、より詳細には葉書シートを付設した袋体に関する。
【０００２】
【従来の技術】
従来の袋体、例えば薬局や病院などの医療機関で使用する医薬品を収容するための袋体（一般に薬袋と称される）は、通常、表紙と裏紙からなり、表紙の表出面に患者名と収容する薬品の名称などを記入する記入部を有するが、この記入部への記入は、処方箋に記載された所定事項を薬剤師や看護師が手書きで書き写している。また、例えば、各種の小さな部品を収納する袋体も、表紙と裏紙からなり、表紙の表出面に使用対象製品と収納した部品の名称や品番などを記入する記入部を有するが、この記入部への記入は、注文票に記載された所定事項を作業者が手書きで書き写している。
【０００３】
【発明が解決しようとする課題】
このため、従来においては、記入部への記入ミスや、袋体への収納物の取り違えなどが発生し、このようなミスによって、投薬や組立作業において事故を起こす虞がある。また、薬袋のように、袋体の収容物を使用する消費者がいる場合に、一方的に消費者に対して袋体を提供するに止まり、消費者の収容物に対する感想や意見を把握できないという不都合もある。本発明は、このような事情に鑑みてなされたもので、手書き記入を不要とし、また、袋体と収容物の照合を確実にするとともに、収容物を使用する消費者の感想や意見も把握することができる袋体を提供することを目的とする。
【０００４】
【課題を解決するための手段】
この目的を達成するため、本発明の請求項１に係る葉書シート付き袋体は、表紙と裏紙とを三周縁で綴じ合わせ、一縁を開口してなる袋体の表出面に情報印字部を設け、前記袋体の一端に葉書シートを設け、前記葉書シートには表出面に伝達情報印字部を有する葉書片を分離可能に設けるとともに、前記葉書片の伝達情報印字部と前記袋体の情報印字部とが同一面側に位置することを特徴とする。
【０００５】
同じく上述の目的を達成するため、本発明の請求項２に係る葉書シート付き袋体は、上記請求項１の構成における袋体表出面の情報印字部は、医薬品情報印字部を有することを特徴とする。すなわち、袋体を薬袋に適用したものである。
【０００６】
同じく上述の目的を達成するため、本発明の請求項３に係る葉書シート付き袋体は、上記請求項１又は請求項２の構成において、表紙または裏紙の一方は透視可能な合成樹脂フィルム製であり、表紙または裏紙の他方は紙製であり、葉書シートは、前記紙製の表紙または裏紙を延設して一体的に設けたシート基材に、葉書片をスリットおよび／またはミシン目で区画形成してなることを特徴とするものである。
【０００７】
同じく上述の目的を達成するため、本発明の請求項４に係る葉書シート付き袋体は、上記請求項１〜請求項３のいずれか１項の構成において、葉書片は、伝達情報を印字した伝達情報印字部を被覆隠蔽して投函可能であるとともに、葉書片の受領者は伝達情報印字部の被覆隠蔽状態を解除して伝達情報を視認可能に構成したことを特徴とする。
【０００８】
同じく上述の目的を達成するため、本発明の請求項５に係る葉書シート付き袋体は、上記請求項４の構成において、表紙または裏紙の一方は透視可能な合成樹脂フィルム製であり、表紙または裏紙の他方は紙製であり、葉書シートは、前記紙製の表紙または裏紙の他方を延設して一体的に設けたシート基材に、葉書片をスリットおよび／またはミシン目で区画形成するとともに、前記葉書片は、折り部で連接してなる伝達情報印字部を設けた伝達情報印字片とこの伝達情報印字片に折り重なってその伝達情報印字部を被覆隠蔽する被覆隠蔽片とからなり、この被覆隠蔽片は、剥離可能に疑似接着した２枚の透視可能な樹脂フィルムの一方を前記シート基材に剥離困難に接着し、前記樹脂フィルムの他方の疑似接着面とは反対面側には粘着剤を設けるとともに剥離紙で被覆してなることを特徴とする。
【０００９】
同じく上述の目的を達成するため、本発明の請求項６に係る葉書シート付き袋体は、上記請求項１〜請求項４のいずれか１項の構成において、表紙または裏紙の一方は、基材の一面に粘着剤を塗布するとともに、この粘着剤を剥離紙で被覆したうえ、前記剥離紙によって表紙または裏紙の他方と三周縁で綴じ合わせてなり、袋体の開口端に対応する前記剥離紙を所定幅にわたって剥離することによって、前記基材に前記開口を封鎖する封緘片を形成することを特徴とするものである。
【００１０】
同じく上述の目的を達成するため、本発明の請求項７に係る葉書シート付き袋体は、上記請求項１〜請求項４のいずれか１項の構成において、葉書シートは、シート基材に葉書片をスリットおよび／またはミシン目で区画形成してなるとともに、その一端を表紙または裏紙の一端に接着したことを特徴とするものである。
【００１１】
【発明の実施の形態】
以下、本発明を薬袋に適用した場合の好適な実施形態を添付図面に基づいて詳細に説明する。ここにおいて、図１は第１の実施形態を示す平面図、図２はそのＡ−Ａ線断面図、図３は同じくＢ−Ｂ線断面図、図４は葉書片を葉書シートから分離して折り重ねて隠蔽葉書を作成した状態を示す断面図、図５は隠蔽葉書を見開いた状態を示す平面図、図６は第２の実施形態たる開口を第１の実施形態とは反対側に設けた実施形態を示す断面図、図７は第３の実施形態たる封緘片を設けた実施形態を示す平面図、図８はそのＣ−Ｃ線断面図、図９は開口を封鎖した状態の断面図、図１０は第４の実施形態たる葉書シートを袋体と別体に形成した実施形態を示す断面図である。
【００１２】
まず、図１〜図５に基づいて第１の実施形態を説明する。図１及び図２に示すように、葉書シート付き薬袋１は、表紙２と裏紙３の三周縁を接着剤４で接着して綴じ合わせ、一縁は非接着状態として薬品を出し入れする開口５とした薬袋１ａと、葉書シート６とからなる。前記表紙２と前記裏紙３の開口５端は、前記裏紙３を若干長く延出して前記開口５における薬品の出し入れを容易にしている。前記表紙２は、透明で印字可能な合成樹脂フィルム、例えば透明なＰＥＴフィルムからなり、また、前記裏紙３は、上質紙からなる。
【００１３】
また葉書シート６は、裏紙３の開口５端とは反対側を延設し、ミシン目７を境として前記裏紙３と一体的に設けている。図１及び図３に示すように、この葉書シート６は、前記裏紙３と同様に上質紙からなるシート基材８に、切り用ミシン目９で葉書片１０と説明文印字片１４を区画形成し、この葉書片１０は、折り部たる折り用ミシン目１３を境にして、伝達情報印字片１１と被覆隠蔽片１２とからなる。
【００１４】
図１で明らかなように、表紙２の表出面には、患者名を印字する患者名印字欄１５と薬品名や服用法などを印字する医薬品情報印字部たる薬品情報印字欄１６を設けている。この表紙２の表出面には、印字適性の向上を図るために、例えばインキジェットプリンタで印字するのであれば、インキジェット受容層を形成しておくとよい。また、伝達情報印字片１１の表面には、薬品の服用による副作用の有無などの質問事項を印字する伝達情報印字欄１７を設ける一方、説明文印字片１４の表出面は全体が説明文印字部となっている。そして、この伝達情報印字欄１７、説明文印字部と前記患者名印字欄１５、前記薬品情報印字欄１６とは同一面側に位置している。なお、図示していないが、前記伝達情報印字片１１の裏面側には、あらかじめ薬袋１ａを出す医療機関の住所、名称が葉書の宛名情報として印刷されている。
【００１５】
また、図２及び図３で明らかなように、被覆隠蔽片１２は、疑似接着層１８を介して剥離可能に接着してなる２枚の透視可能な樹脂フィルム１９，２０の一方の樹脂フィルム１９を粘着剤２１でシート基材８に剥離困難に接着し、他方の樹脂フィルム２０の疑似接着層１８とは反対面側には粘着剤２２を設けるとともに剥離紙２３で被覆してなる。なお、前記疑似接着層１８は、例えば、前記２枚の樹脂フィルム１９，２０を不完全に溶着することで形成できる。
【００１６】
続いて、以上のように構成した葉書シート付き薬袋１の使用方法を説明する。まず、診療機関において、インキジェットプリンタなどの適宜な公知のプリンタを用いて、薬袋１ａの表紙２における患者名印字欄１５及び薬品情報印字欄１６と、葉書片１０の伝達情報印字欄１７及び説明文印字片１４の説明文印字部に、所定の情報を印字する。
【００１７】
このようにして所定の情報（図示せず）を印字後、医療機関は、処方箋とともに葉書シート付き薬袋１を患者名記入欄１５に印字された患者に手渡す。患者は、処方箋の内容と薬品情報印字欄１６に印字された内容とを照合して誤りがないことを確認した後、ミシン目７を破断して、薬袋１ａと葉書シート６とを分離し、薬袋１ａを調剤薬局に持参する一方、前記葉書シート６は保管する。そして、調剤薬局では、薬品情報印字欄１６に印字された薬品名に対応する薬品を薬袋１ａに収容して、患者に手渡すものである。
【００１８】
この薬袋１ａへの薬品の収容にあたっては、薬袋１ａの表紙２に印字された内容と処方箋の内容とを照合しつつ、収容する薬品を確認して行うことができるので、薬品の入れ間違いを避けることができる。また、薬袋１ａ内に薬品を収容後にも、透明な表紙２を透して薬品の確認が可能である。
【００１９】
患者は、処方された薬袋１ａ内の薬品を服用するに際し、葉書シート６における説明文印字片１４に印字された説明文（図示せず）にしたがって以下の動作を行う。まず、葉書片１０の伝達情報印字片１１における伝達情報印字欄１５に印字された質問事項２４（図５参照）を読み、質問事項に対する回答事項２５（図５参照）をこの伝達情報印字片１１に記入した後、切り用ミシン目９を破断して葉書片１０と説明文印字片１４とを分離する。
【００２０】
続いて、葉書片１０における被覆隠蔽片１２の剥離紙２３を剥がして粘着剤２２を露出し、折り用ミシン目１３からこの被覆隠蔽片１２を伝達情報印字片１１の伝達情報印字欄１７に対して折り重ねて、前記粘着剤２２で重ね合わせ面を接着し、図４に示す隠蔽葉書１０ａとする。これによって、質問事項２４及び回答事項２５は外部からは視認できない状態となる。
【００２１】
この隠蔽葉書１０ａは、あらかじめ宛名情報が印刷されているので、患者は自己の住所、氏名を記載すれば、投函可能となる。なお、患者の住所、氏名は、質問事項２４を印字する際に、同時に、伝達情報印字欄１７に印字することもできる。一方、この隠蔽葉書１０ａを受領した医療機関では、前記隠蔽葉書１０ａの伝達情報印字片１１と被覆隠蔽片１２を相対的に引き離すように開くと、疑似接着層１８から２枚の樹脂シート１９，２０が剥離し、図５に示す見開き状態となって、隠蔽されていた質問事項２４及び回答事項２５を透視可能な樹脂フィルム２０を透して視認することができる。
【００２２】
続いて、図６に基づき第２の実施形態を説明する。本実施形態の葉書シート付き薬袋３１が上述した第１の実施形態の葉書シート付き薬袋１と相違する点は、開口３５の位置だけであり、他の構成及び作用は上述した第１の実施形態と同様であるから、対応する構成要素に同一符号を付するに止め、その詳細な説明は省略する。
【００２３】
次に、図７〜図９に基づき第３の実施形態を説明する。図７及び図８に示すように、葉書シート付き薬袋４１は表紙４２と裏紙４３の三周縁を接着剤４４で接着して綴じ合わせ、一縁は非接着状態として薬品を出し入れする開口４５とした薬袋４１ａと、葉書シート５０とからなる。前記表紙４２と前記裏紙４３の開口４５端は、前記表紙４２を若干長く延出して前記開口４５における薬品の出し入れを容易にしている。前記表紙４２は、上質紙からなる基材４６の裏面側に粘着剤４７を塗布し、この粘着剤４７を剥離紙４８で被覆してなる。一方、前記表紙４２の剥離紙４８側に綴じ合わされた前記裏紙４３は、透明で印字可能な合成樹脂フィルム、例えば透明なＰＥＴフィルムからなる。
【００２４】
葉書シート５０は、表紙４２の開口４５端とは反対側を延設し、ミシン目４９を境として前記表紙４２と一体的に設けている。この葉書シート５０に設けた葉書片をはじめとする各構成要素は、上述した第１の実施形態と同一であるので、同一符号を付するに止め、詳細な説明は省略する。
【００２５】
図７で明らかなように、表紙４２の表出面には、患者名を印字する患者名印字欄５２と薬品名や服用法などを印字する医薬品情報印字部たる薬品情報印字欄５３を設けている。また、葉書シート５０における伝達情報印字片１１及び説明文印字片１４の表出面には、上述した第１の実施形態におけると同一の伝達情報印字欄１７と説明文印字部とを設け、この伝達情報印字欄１７と説明文印字部とは、前記患者名印字欄５２及び前記薬品情報印字欄５３と同一面側に位置している。
【００２６】
図７及び図８に示すように、表紙４２の基材４６には、裏紙４３の開口４５端に対応位置して、ハーフスリット５４を設けている。また、表紙４２の剥離紙４８には、同じく裏紙４３の開口４５端に対応位置して、スリット５５を設けている。前記表紙４２の前記ハーフスリット５４から端部側で封緘片４６ａを構成する。
【００２７】
本実施形態の使用方法は、上述した第１の実施形態と同様であり、異なるのは封緘片４６ａを利用して開口４５を封緘できる点である。すなわち、表紙４２の患者名印字欄５２、薬品情報印字欄５３及び葉書シート５０における伝達情報印字片１１の伝達情報印字欄１７と説明文印字片１４の説明文印字部に、所定の情報を印字したうえ、ミシン目４９を破断して葉書シート５０を分離した薬袋４１ａに、印字情報が対応する薬品Ｘを収容した後、図９に示すように、スリット５５から端縁側の剥離紙４８を剥離し、基材４６の一端部である封緘片４６ａをハーフスリット５４で裏紙４３側に折り曲げて、この封緘片４６ａを露出した粘着剤４７で前記裏紙４３に接着し、開口４５を封鎖することができる。
【００２８】
次に、図１０に基づき第４の実施形態を説明する。本実施形態における葉書シート付き薬袋６１は、表紙６２と裏紙６３の三周縁を接着剤６４で接着して綴じ合わせ、一縁は非接着状態として薬品を出し入れする開口６５とした薬袋６１ａと、葉書シート７０とからなる。前記表紙６２と前記裏紙６３の開口６５端は、前記裏紙６３を若干長く延出して前記開口６５における薬品の出し入れを容易にしている。前記表紙６２は透明な合成樹脂フィルム、例えば透明なＰＥＴフィルムからなる一方、前記裏紙６３は上質紙からなる。
【００２９】
葉書シート７０は、裏紙６３の開口６５端側に、接着剤７１で接着するとともに、ミシン目７２を設けて薬袋６１ａから分離可能としている。本実施形態のその他の構成は上述した第１の実施形態と同様であるから、対応する構成要素に同一の符号を付するに止め、その説明は省略する。本実施形態にあっても、第１の実施形態と同様にして、表紙６２の図示していない患者名印字欄、薬品情報印字欄及び葉書シート７０における同じく図示していない伝達情報印字片の伝達情報印字欄と説明文印字片の説明文印字部とに、それぞれ所定の情報を印字したうえ、ミシン目７２を破断して葉書シート７０を分離した薬袋６１ａに、印字情報が対応する薬品Ｘを収容して、使用することができる。
【００３０】
なお、本発明は、上述した各実施形態に限定されるものではなく、例えば、第３及び第４の各実施形態における開口４５，６５をそれぞれ反対側に設けてもよい。また、各表紙２，６２及び裏紙４３は、必ずしも透明である必要はなく、加えて情報の印字も表紙２，４２，６２に限らない。さらに、本発明に係る葉書シート付き袋体１，３１，４１，６１は、葉書シート付き薬袋１，３１，４１，６１のほか、部品収容用の葉書シート付き部品袋などの他の用途にも適用可能である。またさらに、葉書は隠蔽葉書１０ａでなくてもよい。
【００３１】
【発明の効果】
以上説明したところで明らかなように、本願の請求項１に係る発明によれば、葉書片と袋体の各印字部が同一面側に位置するので、各印字部に対して一度の印字動作で同時に印字でき、各印字部に対する印字内容に齟齬をきたすことがないという効果を奏する。
【００３２】
また、本願の請求項２に係る発明によれば、葉書片と袋体の各印字部が同一面側に位置するので、各印字部に対して一度の印字動作で同時に印字でき、各印字部に対する印字内容に齟齬をきたすことがなく、通常の注意力をもって行えば、収容物の取り違えをする虞はないので、薬袋として好適であるという効果を奏する。
【００３３】
さらに、本願の請求項３に係る発明によれば、上述した請求項１又は請求項２に係る発明の効果に加えて、表紙または裏紙の一方が透明なので、収容物の確認が容易であるという効果を奏する。
【００３４】
またさらに、本願の請求項４に係る発明によれば、上述した請求項１〜請求項３のいずれか１項に係る発明の効果に加えて、葉書片に印字した伝達情報を被覆隠蔽した隠蔽葉書として使用できるので、他人に知られたくない情報の伝達に好適であるという効果を奏する。
【００３５】
さらにまた、本願の請求項５に係る発明によれば、上記請求項４の効果に加えて、隠蔽葉書の作成が容易であるという効果を奏する。
【００３６】
さらにまた、本願の請求項６に係る発明によれば、上述した請求項１〜請求項４のいずれか１項に係る発明の効果に加えて、封緘片を設けたので袋体の開口の封鎖が容易であるという効果を奏する。
【００３７】
さらにまた、本願の請求項７に係る発明によれば、上述した請求項１〜請求項４のいずれか１項に係る発明の効果に加えて、葉書シートと袋体とを別体に構成したので、葉書シートと袋体を各別に製造したうえ、葉書シートを袋体の適宜な一端に綴じ合わせることで、同一構成の葉書シートと袋体から異なった構成の葉書シート付き袋体を得ることができるという効果を奏する。
【図面の簡単な説明】
【図１】第１の実施形態を示す平面図。
【図２】図１のＡ−Ａ線断面図。
【図３】図１のＢ−Ｂ線断面図。
【図４】同実施形態における作成した隠蔽葉書を示す断面図。
【図５】同実施形態における隠蔽葉書を見開いた状態の平面図。
【図６】第２の実施形態を示す断面図。
【図７】第３の実施形態を示す平面図。
【図８】図７のＣ−Ｃ線断面図。
【図９】同実施形態における開口を封鎖した状態の断面図。
【図１０】第４の実施形態を示す断面図。
【符号の説明】
１，３１，４１，６１　　　葉書シート付き薬袋
１ａ，４１ａ，６１ａ　　　薬袋
２，４２，６２　　　表紙
３，４３，６３　　　裏紙
４，４４，６４，７１　　　接着剤
５，３５，４５，６５　　　開口
６，５０，７０　　　葉書シート
７，９，１３，４９，７２　　　ミシン目
８　　　シート基材
１０　　　葉書片
１１　　　伝達情報印字片
１２　　　被覆隠蔽片
１４　　　説明文印字片
１５，５２　　　患者名印字欄
１６，５３　　　薬品情報印字欄
１７　　　伝達情報印字欄
１８　　　疑似接着層
１９，２０　　　樹脂フィルム
２１，２２，４７　　　粘着剤
２３，４８　　　剥離紙
４６　　　基材
４６ａ　　　封緘片
５４　　　ハーフスリット
５５　　　スリット
【図１】
2004059110.tif 000003
【図２】
2004059110.tif 000004
【図３】
2004059110.tif 000005
【図４】
2004059110.tif 000006
【図５】
2004059110.tif 000007
【図６】
2004059110.tif 000008
【図７】
2004059110.tif 000009
【図８】
2004059110.tif 000010
【図９】
2004059110.tif 000011
【図１０】
2004059110.tif 000012